(57)【特許請求の範囲】
【請求項１】
上端を基板によって閉じ下端を開口した縦型の筒状ケースと、前記基板に支持され横方向に配設された左右一対の固定接点と、上下方向に移動して該固定接点間を開閉する球形移動接点と、該球形移動接点を間接的に支持し一部が前記開口から出没自在に前記ケース内に収容された作動軸と、該作動軸を前記開口から前記ケース外部に突出する方向に付勢する第一の弾性部材とを備えた転倒安全スイッチにおいて、前記作動軸の出没動に連動して前記ケース内を軸方向に進退する可動軸と、該可動軸を前記開口側に付勢する第二の弾性部材と、前記基板との間に前記一対の固定接点を囲む空間部を形成するように設けられるとともに底部に穴空き部分を有する漏斗状の筐体と、前記空間部内に収容された球形移動接点とを備え、前記作動軸の一部が前記ケース内に収容されると、前記可動軸の前記基板側の端面は前記球形移動接点を載置しつつ上方向に移動し、前記穴空き部分から前記空間部内に突出し、該球形移動接点を前記一対の固定接点に当接させて該固定接点間を閉路状態とし、前記作動軸の一部が前記ケース外部に突出すると、前記可動軸は前記開口側に移動し、前記球形移動接点が前記一対の固定接点から離れて該固定接点間を開路状態とすることを特徴とする転倒安全スイッチ。
【請求項２】
請求項１に記載の転倒安全スイッチにおいて、前記作動軸と前記可動軸との間に前記第一の弾性部材を介装したことを特徴とする転倒安全スイッチ。
【請求項３】
請求項１又は請求項２に記載の転倒安全スイッチにおいて、前記可動軸と前記筐体との間に前記第二の弾性部材を介装したことを特徴とする転倒安全スイッチ。
【請求項４】
請求項１乃至請求項３のいずれか１項に記載の転倒安全スイッチにおいて、閉路状態にある前記球形移動接点を前記可動軸側へ付勢する第三の弾性部材を、前記基板に設けたことを特徴とする転倒安全スイッチ。
【発明の詳細な説明】
【０００１】
【発明の属する技術分野】
本発明は例えばニクロムヒーター、セラミックヒーターなどを熱源とする電気ストーブや温風機等（以下、「電気ストーブ」と記す）の底部に組み込んで電気ストーブが転倒した際にヒーターへの通電を遮断するようにするとともに、電気ストーブを傾斜した面に置いた際にもヒーターへの通電を遮断するための転倒安全スイッチに関する。
【０００２】
【従来の技術】
従来、電気ストーブには火災などを防止するため転倒した際にはヒーターへの通電を遮断する転倒安全スイッチが組み込まれている。実開昭５５−１２４１３３号公報には、このような転倒安全スイッチが開示されている。このスイッチは、電気ストーブの脚足体の取付部に接地面から順に可動接片と固定接片を配設し、この両接片の下位に段付部を有するガイド筒体とこのガイド筒体に嵌装された作動杆とを設け、この作動杆の上面にばねを配置して可動接片を押動するようにしたものである。このスイッチでは、電気ストーブが傾いて脚足体が接地面から離れると、作動杆がばねによって接地面側に付勢されて脚足体の外部に突出する。このようにしてばねが伸びきるため、可動接片と固定接片が離れてヒーターへの通電が遮断されるようになっている。
【０００３】
また、特開平７−１０５８０４号公報には、すり鉢状ボディの下端に開閉接点部を設け、ボディが傾いたときに転がって開閉接点を開路し水平状態にあるときは開閉接点に接して閉路する球体を配置し、接点端子をボディから側方に導出させて外部基板に取付け、さらにボディのカバーにも基板に取付可能な取付部を設けることによってボディの基板への取付強度を補強し、ボディが自重や上下方向の衝撃によって傾くのを防止できるようにした転倒検知スイッチが開示されている。
【０００４】
【発明が解決しようとする課題】
しかしながら、上記転倒安全スイッチでは、電気ストーブを傾斜面に置いた場合においても可動接片と固定接片とが接触状態にあるためヒーターへの通電が遮断されない。傾斜面に置かれた電気ストーブは水平面に置かれた場合よりも転倒し易く、転倒した際にはヒーターへの通電が遮断されてもヒーターの加熱状態が直ちに解消するわけではない。したがって、転倒した周囲に燃焼し易い物や引火し易い物質があると火災や爆発の危険がある。また、地震などによって電気ストーブが傾いてヒーターへの通電が遮断されても、揺れがおさまって元の状態に復帰すれば再びヒーターに通電する。したがって、地震などによってストーブの周辺に燃焼し易い物などが落ちてきたような場合には、揺れがおさまった後にこれらの物に引火して火災を発生するなどの危険があった。
【０００５】
一方、上記転倒検知スイッチでは、ボディを側方の基板に取付けるような構造を採用しており、ボディを基板へ取付ける取付部を設けたとしても、これでは単に取付部を補強したに過ぎず、ボディの傾きを根本的に防止できるものではない。したがって、このような構造では小さな衝撃や自重によってもボディが僅かに傾き易く、ボディが少しでも傾けば球体が僅かに転がって開閉接点を開路することにより絶縁状態となる。このように、地震などではなくごく小さな衝撃によってもヒーターが切れて、その度に電源スイッチを入れなければならず操作が煩わしいという不都合があった。また、このような構造では上記転倒安全スイッチと同じく揺れがおさまって元の状態に復帰すれば再びヒーターに通電するので、同様の危険が回避できないという問題があった。さらに、接点の開閉が何度も繰り返されると球体と開閉接点間が融着して球体が離れ難くくなり、接点が開路しなくなるという問題もあった。
【０００６】
そこで、傾斜面ではヒーターへ通電されず、また一旦傾いてヒーターへの通電が遮断された場合には元の状態に復帰しても直ちに通電されないようになっており、さらに危険のない小さな衝撃ではヒーターへの通電遮断が作動しないスイッチが望まれていた。また、接点を開閉するのに球体を用いる場合には、接点と球体の間が融着しても接点が確実に開路するようなスイッチが望まれていた。
【０００７】
【課題を解決するための手段】
上記目的を解決するため本発明は、上端を基板によって閉じ下端を開口した縦型の筒状ケースと、前記基板に支持され横方向に配設された左右一対の固定接点と、上下方向に移動して該固定接点間を開閉する球形移動接点と、該球形移動接点を間接的に支持し一部が前記開口から出没自在に前記ケース内に収容された作動軸と、該作動軸を前記開口から前記ケース外部に突出する方向に付勢する第一の弾性部材とを備えた転倒安全スイッチにおいて、前記作動軸の出没動に連動して前記ケース内を軸方向に進退する可動軸と、該可動軸を前記開口側に付勢する第二の弾性部材と、前記基板との間に前記一対の固定接点を囲む空間部を形成するように設けられるとともに底部に穴空き部分を有する漏斗状の筐体と、前記空間部内に収容された球形移動接点とを備え、前記作動軸の一部が前記ケース内に収容されると、前記可動軸の前記基板側の端面は前記球形移動接点を載置しつつ上方向に移動し、前記穴空き部分から前記空間部内に突出し、該球形移動接点を前記一対の固定接点に当接させて該固定接点間を閉路状態とし、前記作動軸の一部が前記ケース外部に突出すると、前記可動軸は前記開口側に移動し、前記球形移動接点が前記一対の固定接点から離れて該固定接点間を開路状態とするようにしたものである。
【０００８】
このように、横方向に配設された左右一対の固定接点間の閉路又は開路を球形移動接点によって行うようにした。すなわち、作動軸の一部をケース内に収容すると、可動軸の基板側の端面に球形移動接点が載置された状態で上方向に移動した球形移動接点が左右一対の固定接点間を閉路するため導通する。一方、作動軸の一部がケース外に突出すると、球形移動接点が下方向に移動し、左右一対の固定接点間から離れて固定接点間を開路するため絶縁する。そして、底部に穴空き部分を有する漏斗状の筐体を基板の下に設けてこれらの間に空間部を形成したことによって、作動軸の一部をケース内に収容してもケースが鉛直方向から傾斜しているような場合には、可動軸の基板側の端面に球形移動接点が載置されないので、球形移動接点は左右一対の固定接点間を閉路できない。
【０００９】
そして請求項２では、作動軸と可動軸との間に第一の弾性部材を介装し、この弾性部材によって作動軸をケースの開口からケース外部へ付勢するようにした。
【００１０】
そして請求項３では、可動軸と筐体との間に第二の弾性部材を介装し、この弾性部材によって可動軸をケースの開口側へ付勢するようにした。
【００１１】
このような第一及び第二の弾性部材としては、例えばコイルばね、ジャバラばね等が挙げられ、このような弾性部材を設けることにより作動軸と可動軸をケースの開口側に確実に押動できるとともに、本発明のスイッチを容易に組み立てることができる。
【００１２】
さらに請求項４では、可動軸の基板側端面上に載置されて左右一対の固定接点間を閉路する球形移動接点を可動軸側へ付勢するための第三の弾性部材をケースの基板に設けた。したがって、可動軸が開口側に押動された際には、この弾性部材の付勢力によって球形移動接点を固定接点から確実に離して可動軸側に押動できる。
【００１３】
【実施の形態】
本発明の実施の形態について、まず第１構成例につき添付した図面に基づいて説明する。なお、以下の図においては、本発明の転倒安全スイッチは不図示の電気ストーブの底部に組み込まれた状態を示している。図１は開口端が接地面から離れ縦型のケースが鉛直方向に向いて開路状態にある本転倒安全スイッチの断面図、図２は開口端が接地面に当接されて閉路状態にある本転倒安全スイッチの断面図、図３は開口端が接地面から離れ縦型のケースが鉛直方向から傾斜して開路状態にある本転倒安全スイッチの断面図である。
【００１４】
図１〜図３に示すように、本発明の転倒安全スイッチは、上端を基板２によって閉じ下端には開口３ａが形成された開口端３を備える筒状ケース１を本体としている。このケース１の開口端３側の外周面には、ケース１を電気ストーブの底部にワンタッチで取りつけるために、一対のフランジ１ａ，１ａがケース１と一体に形成されている。そして、基板２にはこれを貫通するように一対の固定端子４，４が取り付けられており、固定端子４，４のケース１内の部分には左右一対の固定接点５，５がそれぞれ横方向に着設されている。固定端子４，４はコンセント状となっており、電気ストーブのヒーター回路に電気的に接続されている。したがって、固定接点５，５間が閉路すると固定端子４，４を介してヒーター回路が通電されて電気ストーブが作動するようになっている。なお、この転倒安全スイッチは開口端３が下になるように、電気ストーブの底部に組み込まれ、この開口端３が接地面Ｅに当接するようになっている。
【００１５】
ケース１の内部には、その一部をケース１の開口３ａから出没可能で、接地面Ｅに当接する端部６ａが閉じその反対側の端面が開口した筒状の作動軸６が設けられている。この作動軸６は、ケース１の軸方向に進退可能であって外周には段付き部６ｂが形成されており、この部分から先端側の細部６ｃをケース１の開口３ａから出し入れできるようになっている。また、作動軸６の出し入れの動きに連動して同じくケース１内を軸方向に進退可能な可動軸７が、その一部を作動軸６の筒内に収容されるようにして設けられている。この可動軸７の略中央部の外周にはばね止め７ａが突設されており、このばね止め７ａは作動軸６の段付き部６ｂと係合するようになっている。
【００１６】
そして、作動軸６の細部６ｃの内部には、作動軸６の開口３ａ側の端部内面６ｄと可動軸７の同じく開口３ａ側の端面７ｃとの間に第一の弾性部材としてコイルばね８が介装されている。また、可動軸７の外周のばね止め７ａと後述する筐体との間には、第二の弾性部材として同じくコイルばね９が介装されている。
【００１７】
基板２の内面の直下には、下端側を狭くした内面１０ａを備えた漏斗状の筐体１０が、基板２の内面との間に空間部Ｓを形成するようにして設けられている。この筐体１０の内面１０ａは、ケース１の軸中心に向かうにしたがって対向する基板２の内面と離隔するようになっており略すり鉢状である。また、筐体１０の底部中央には可動軸７の基板２側の一部を出し入れ可能な穴空き部分１０ｂが設けられている。
【００１８】
そして、図２に示すように左右一対の固定接点間５，５を渡すようにして当接してこれらの間を閉路する球形移動接点１１が、空間部Ｓに入れられている。この球形移動接点１１は固定接点５，５を閉路して導通するためのものなので、素材として銅、鉄、黄銅、アルミニウム、合金等の金属が一般的に用いられるが、導電性を有していればこれらに限定されるものではない。なお、筐体１０の内面１０ａは図１〜図３では略すり鉢状のものが示されているが、この他に、円錐、三角錐や四角錐などの多角形の錐などでもよい。本発明において漏斗状とは、下方にいくにしたがって幅が狭くなり、かつ、底部に穴空き部分が形成されている形状をいうものとする。すなわち、開口端３が接地面Ｅから離れてケース１が鉛直方向に向いたときに、可動軸７の上記基板２側端面７ｂから落下した球形移動接点１１が、この内面１０ａを転がって穴空き部分１０ｂから突出する可動軸７の前記端面７ｂに再び載置されるような内面形状であればよい。球形移動接点１１が滑らかに転動するには、すり鉢状とするのが特に好ましい。
【００１９】
次に、以上のように構成した転倒安全スイッチの作用等について説明する。電気ストーブが作動している場合には、電気ストーブに組み込まれた本発明の転倒安全スイッチは図２に示す状態にある。球形移動接点１１は可動軸７の前記端面７ｂと左右一対の固定接点５，５の間に挟持されており、固定端子４，４を介してヒーターは通電している。
【００２０】
地震等によって電気ストーブが揺れて傾くと、図２から図３の状態へと変化する。まず、ケース１の開口端３が接地面Ｅから離れると、コイルばね８によって開口３ａ側に付勢されていた作動軸６は、接地面Ｅの支えがはずれるためその段付き部６ｂまでの細部６ｃを開口３ａからケース１外部へ突出する。そうすると、この段付き部６ｂと可動軸７のばね止め７ａとの係合が解かれるため、今度はコイルばね９によって開口３ａ側に付勢されていた可動軸７が、段付き部６ｂの支えを失って開口３ａ側に押動される。すなわち、筐体１０の穴空き部分１０ｂから上方に突出していた可動軸７は、その基板２側端面７ｂが筐体１０の内面１０ａの最下部と略同じ高さになるまで下方に押動される。
【００２１】
このように可動軸７が下方に押動されると、縦型のケース１が鉛直方向から傾斜しているため、可動軸７の端面７ｂと左右一対の固定接点５，５の間に挟持されていた球形移動接点１１は、固定接点５，５から離れるとともに可動軸７の端面７ｂから筐体１０の内面１０ａ上に落下しこの内面１０ａ上を転動する。このようにして、一対の固定接点５，５の間には隙間が生じ両接点間は開路される。
【００２２】
なお、電気ストーブが転倒することのないような小さな揺れでは、開口３ａから作動軸６が突出しようとしても、電気ストーブは自身の重さのために傾いた状態から直ちに元の静置状態に戻ってしまうので作動軸６は開口３ａから突出できない。したがって、このような危険のない小さな揺れによって、ヒーターが切れ易くなるような不都合はない。
【００２３】
ここで、可動軸７の上記端面７ｂの形状は、縦型のケース１が鉛直方向に向いているときにはこの端面上に球形移動接点１１が納まって載置され、縦型のケース１が鉛直方向から所定角度以上傾斜したときは球形移動接点１１がこの端面７ｂに載置していられないようなものであれば特に限定されるものではない。なお、ここでいう所定角度とは、地震等の揺れによって電気ストーブが転倒する程度の角度であり、転倒する危険がないような極めて小さな揺れによって傾く程度の小さな角度ではない。したがって、可動軸７の上記端面７ｂの形状としては球形移動接点１１がただ単に載置されるような平面状であってもよいが、皿状、円錐状、すり鉢状、多角形の錐状等のように、水平状態では球形移動接点１１が納まって載置されており、上記所定角度傾斜したときには球形移動接点１１が傾斜面を転がって落下するような形状が好ましい。上記端面７ｂ上で球形移動接点１１が滑らかに転がるには、皿状が特に好ましい。
【００２４】
なお、図１又は図３においては、略すり鉢状の内面１０ａの最下部と可動軸７の端面７ｂの外周が同じ高さになるように示してあるが、後述のように縦型のケース１が鉛直方向を向いた際に可動軸７の端面７ｂに球形移動接点１１が納まって載置されるようであればよく、この外周が内面１０ａの最下部より少し下に位置するようになっていてもよい。
【００２５】
次に、地震による揺れがおさまって電気ストーブを再び接地面Ｅ上に静置すると、作動軸６は電気ストーブの自重によってコイルばね８の付勢力に抗して開口３ａからケース１内部へ押し込まれる。押し込まれた作動軸６の段付き部６ｂは、可動軸７のばね止め７ａに係合してこれをケース１の基板２側に押動する。このとき、球形移動接点１１は落下してからしばらくの間は筐体１０の内面１０ａ上を転動しているのでこの内面１０ａ上に取り残されるようになり、可動軸７はその端面７ｂに球形移動接点１１を載置していない状態で基板２側に押動され左右一対の固定接点５，５との間に隙間を生じる位置で止まる。したがって、一対の固定接点５，５間は開路状態となる。
【００２６】
なお、筐体１０の内面１０ａを転動している球形移動接点１１が、可動軸７の端面７ｂ上に丁度位置している場合に可動軸７が基板２側に押動されるようなときには、可動軸７はその端面７ｂ上に球形移動接点１１を載置した状態で押動される可能性もないことはないが、このようなことは極めて稀である。このように、地震の揺れがおさまって元の状態に復帰しても、電気ストーブが再作動することが回避される。
【００２７】
また、電気ストーブを傾斜面上に置くには、通常、接地面Ｅから離して鉛直方向に向いている電気ストーブを鉛直方向から傾けて傾斜面に置くようにする。まず、接地面Ｅから離れて鉛直方向に向いた状態では、可動軸７の端面７ｂは筐体１０の底部と同じ高さに位置しており、その面上に球形移動接点１１を載置している。この状態から縦型のケース１を傾けると、球形移動接点１１は端面７ｂから離れて筐体１０の内面１０ａを転動する。したがって、傾けた状態で電気ストーブを接地面に置くと、作動軸６がケース１内に押し込まれ、段付き部６ｂがばね止め７ａと係合して作動軸６を基盤２側に押動する。しかしながら、可動軸７の端面７ｂ上には球形移動接点１１が載置されていないため、端面７ｂが空間部Ｓ内に突出しても左右一対の固定接点５，５との間には隙間を生じるので、一対の固定接点５，５間は開路状態となる。このように、本転倒安全スイッチを組み込んだ電気ストーブを傾斜面に置いても作動しない。
【００２８】
次に、電気ストーブを他の場所に移動して作動させる場合や、上述のように地震の揺れがおさまって開路状態にある電気ストーブを再作動させる場合について説明する。このような場合には、まず電気ストーブを置く場所で持ち上げ、図１に示すように本転倒安全スイッチの縦型のケース１が鉛直方向に向くようにして暫時この状態を維持する。ケース１の開口端３は接地面Ｅに当接していないので、上述のように作動軸６は先端から段付き部６ｂまでの細部６ｃを開口３ａからケース１外部へ突出し、可動軸７はその基板２側の端面７ｂが筐体１０の内面１０ａの最下部と略同じ高さになるまで下方に押動される。そして、筒状ケース１が鉛直方向に向いているので、可動軸７の端面７ｂに球形移動接点１１が納まって載置するようになる。この状態から、電気ストーブを静かに接地面Ｅに置くと、上述のように作動軸６は電気ストーブの自重によってコイルばね８の付勢力に抗して開口３ａからケース１内部へ押し込まれ、その段付き部６ｂを可動軸７のばね止め７ａに係合しつつこれを基板２側に押動する。このとき、可動軸７の端面７ｂには球形移動接点１１が載置されているので、球形移動接点１１はこの端面７ｂと左右一対の固定接点５，５の間に挟持されることになり、一対の固定接点５，５間が閉路して、ヒーターが通電状態になる。
【００２９】
次に本発明の第２構成例について添付の図４〜図６に基づいて説明する。この例では、閉路状態にある球形移動接点１１を可動軸７側へ付勢するための第三の弾性部材１２を縦型のケース１の基板２に設けたものであり、他の構成については上記第１構成例と同様である。したがって、以下の説明では第１構成例と重複する部分の説明は省略する。
【００３０】
図４は開口端３が接地面Ｅに当接されて閉路状態にある本転倒安全スイッチの要部断面図、図５は図４を側面側から見た際に、球形移動接点１１が第三の弾性部材１２によって付勢されている状態を示す説明図、図６は開口端３が接地面Ｅから離れ縦型のケース１が鉛直方向から傾斜して開路状態にある本転倒安全スイッチの要部断面図である。
【００３１】
図４及び図５は、球形移動接点１１が可動軸７の端面７ｂと左右一対の固定接点５，５の間に挟持されるとともに、その上面を第三の弾性部材であるゴム板１２によって可動軸７の方向に付勢されている状態を示している。この状態からケース１の開口端３が接地面Ｅから離れると、図６に示すように上記第１構成例と同様にして可動軸７がケース１の開口端３側へ押動され、球形移動接点１１は筐体１０の内面１０ａ上に落下する。なお、図示していないが、開口端３が接地面Ｅから離れ、縦型のケース１が鉛直方向に向いているときは、球形移動接点１１は可動軸７の端面７ｂ上に収納、載置された状態で開口端３側へと押動される。なお、この例では、固定端子４，４のケース１内の先端部分とそこに横方向に着設されている左右一対の固定接点５，５は、ケース１の外側に傾斜して設けてある。このようにすると、可動軸７の端面７ｂを一対の固定接点５，５により密接させる効果がある。
【００３２】
ところで、通常、球形移動接点１１と固定接点５，５は銅などの金属によって形成されているため、これらが接触状態と非接触状態を何度も繰り返すことによって接触部分に融着箇所が生じる場合がある。このような場合には、可動軸７が開口端３側に押動されても、球形移動接点１１は固定接点５，５との融着箇所から離れ難くなり固定接点５，５間を確実に開路状態とすることができない。
【００３３】
そこで、図４〜図６に示すようなゴム板１２を設けることによって、球形移動接点１１と固定接点５，５との接触部分にたとえ融着箇所があっても、可動軸７が開口端３側に押動されたときには、このゴム板１２の付勢力によって球形移動接点１１は確実に下方に押動され、固定接点５，５から離れることになる。したがって、一対の固定接点５，５間を確実に開路状態とすることができるものである。なお、上記第三の弾性部材としては、ゴム板、コイルばね、ジャバラばね等が用いられるが特に限定されるものではない。なお、球形移動接点１１の損傷を防ぐ等のためからゴム材質とするのが好ましい。
【００３４】
【発明の効果】
以上のように本発明の転倒安全スイッチは、請求項１において、一部が縦型のケースの開口から出し入れ可能な作動軸をケース内に収容し、第一の弾性部材によってこの作動軸をケースの開口からケース外部に付勢するようにするとともに、作動軸の出し入れに連動してケース内を軸方向に進退する可動軸を設けて、第二の弾性部材によってこれをケースの開口側に付勢するようにした。また、ケースの閉じた側の基板との間に左右一対の固定接点を囲む空間部を形成するように設けられるとともに、底部に穴空き部分を有する漏斗状の筐体を備え、その空間部内には一対の固定接点間に渡るようにしてこれらを閉路する球形移動接点を入れるようにした。そして、穴空き部分から筐体内に突出した可動軸の端面に球形移動接点を載置しつつこれを一対の固定接点に渡るようにし、可動軸を開口側に押動することにより球形移動接点を一対の固定接点から離すようにした。
【００３５】
このように作動軸の一部を縦型のケースの開口から出没させ、これに連動して可動軸を進退させることによって、球形移動接点を一対の固定接点間に渡したり離したりするようにして、一対の固定接点間の開閉を行うようにした。また、筐体の内面を漏斗状にし底部に穴空き部分を設けたことによって、作動軸の一部をケース内に収容しても例えば縦型のケースが鉛直方向から傾いた状態にある場合には、可動軸の基板側の端面に球形移動接点が載置されないようにして、球形移動接点が一対の固定接点間を閉路できないようにした。したがって、本転倒安全スイッチを組み込んだ電気ストーブを傾斜面に置いても作動しないようにしたため、転倒による火災や爆発等の危険が防止できる。
【００３６】
さらに、地震等によって電気ストーブが傾いたときは、縦型のケースの開口端が接地面から離れることによって可動軸がケースの開口側へ押動されるため、球形移動接点は筐体の内面に落下して一対の固定接点間は開路状態となる。そして、揺れがおさまって元の状態に復帰しても、球形移動接点は筐体の内面に取り残されたままになるので開路状態が続いて電気ストーブが再作動することが回避される。そして、電気ストーブが転倒する心配のないような小さな揺れでは、電気ストーブの自重のため開口から作動軸が突出するようなことがない。したがって、このような危険のない揺れによってヒーターが度々切れることがないので、その度に電気ストーブの電源スイッチを入れなければならない煩雑さから解放される。
【００３７】
また、請求項２のように作動軸と可動軸の間に第一の弾性部材を介装し、請求項３では可動軸と筐体との間に第二の弾性部材を介装したことによって、作動軸のケースからの突出とそれに連動した可動軸のケースの開口側への押動を確実かつ容易に達成することができ、かつ、本発明のスイッチを容易に組み立てることができる。
【００３８】さらに請求項４のように、閉路状態にある球形移動接点を可動軸側へ付勢するための第三の弾性部材をケースの基板に設けたことにより、この弾性部材の付勢力によって球形移動接点を確実に可動軸側に押動できるので左右一対の固定接点間を確実に開路することができる。球形移動接点と一対の固定接点との接触部分がたとえ融着しているような場合でも、一対の固定接点間の開路不良を回避できる。
【図面の簡単な説明】
【図１】接地面から離れ鉛直方向に向き開路状態にある本転倒安全スイッチの断面図。
【図２】水平面に接地して閉路状態にある本転倒安全スイッチの断面図。
【図３】接地面から離れ鉛直方向から傾斜し開路状態にある本転倒安全スイッチの断面図。
【図４】水平面に接地して閉路状態にある本転倒安全スイッチの要部断面図。
【図５】球形移動接点が第三の弾性部材によって付勢されている状態を示す図４の側面図。
【図６】接地面から離れ鉛直方向から傾斜して開路状態にある本転倒安全スイッチの要部断面図。
【符号の説明】
１・・縦型の筒状ケース、２・・基板、３ａ・・開口、５・・固定接点、６・・作動軸、７・・可動軸、７ｂ・・基板側の端面、８・・第一の弾性部材、９・・第二の弾性部材、１０・・筐体、１０ａ・・内面、１０ｂ・・穴空き部分、１１・・球形移動接点、１２・・第三の弾性部材、Ｓ・・空間部。
【図１】
0003861185.tif 000002
【図２】
0003861185.tif 000003
【図３】
0003861185.tif 000004
【図４】
0003861185.tif 000005
【図５】
0003861185.tif 000006
【図６】
0003861185.tif 000007